(57)【特許請求の範囲】
【請求項１】
圧縮機，蒸発器，凝縮器，およびファンモータ，ファンを有する除湿装置と、起風電極，集塵電極，脱臭フィルター等で構成される空気清浄装置が一体となった除湿機を構成し、前記除湿装置の風回路と空気清浄装置の風回路を別々に設け、各々の風回路を仕切る壁に、各々の風回路を連通する連通孔を設けた除湿機。
【請求項２】
空気清浄装置の風回路中で連通孔の上部近傍に縦リブと横リブを設けた請求項１に記載の除湿機。
【請求項３】
圧縮機，蒸発器，凝縮器，およびファンモータ，ファン等で構成される除湿装置と、起風電極，集塵電極，脱臭フィルター等で構成される空気清浄装置が一体となった除湿機を構成し、除湿装置の風回路と空気清浄装置の風回路を別々に設け、各々の風回路を仕切る壁に、除湿装置のファン中の後流側に位置し、除湿装置の風回路と空気清浄装置の風回路を一部連通させる連通孔を設けた除湿機。
【請求項４】
除湿装置の風回路中に、除湿装置の風回路と空気清浄装置の風回路を一部連通させる連通孔とつながり上方吹き出し形式のダクトを設けた請求項３に記載の除湿機。
【請求項５】
本体の運転モードにあわせて連通孔を開閉するダンパを設けた請求項３または４に記載の除湿機。
【請求項６】
起風電極，集塵電極，脱臭フィルターの位置を、除湿装置のファン中心より下部に設けた請求項１〜５のいずれかに記載の除湿機。
【発明の詳細な説明】
【０００１】
【発明の属する技術分野】
本発明は除湿装置と空気清浄装置が一体となった除湿機に関するものである。
【０００２】
【従来の技術】
従来のこの種の除湿機について、図９とともに説明する。
【０００３】
図９は従来の除湿機の概略側面であり、除湿機本体１は吸い込みグリル２（前板）と吹き出しグリル３（後板）で構成され、内部には冷凍サイクルを構成する圧縮機４，蒸発器５，凝縮器６，ファンモータ７及びファン８を具備している。そして蒸発器５より生成された除湿水は水受皿９に設けられたドレン口１０より滴下して、排水タンク１１にたまるようになっている。また、送風経路の吸い込みグリル２と吹き出しグリル３の間に空清フィルター１２を設けたものである。吸い込みグリル２より吸い込まれた空気は、空清フィルター１２，蒸発器５，凝縮器６を通り、吹き出しグリル３よりほぼ真上に吹き出される。
【０００４】
【発明が解決しようとする課題】
しかしながら、上記従来の構成では、空清フィルターは空気清浄装置として機能するが、除湿装置と同じ回路中で送風経路吸い込みグリルと吹き出しグリルの間に空清フィルターを設けたことにより空清フィルター自体が風回路中の抵抗となるため、吸い込み風量が少なくなり、かつ運転時の送風音が増加し除湿装置としての機能が低下するといった課題を有していた。
【０００５】
本発明はこのような従来の課題を解決するものであり、吸い込み風量の低下がなく除湿機能，空気清浄機能を満足させ、かつ運転時の送風音が静かな除湿機を提供することを目的とするものである。
【０００６】
【課題を解決するための手段】
上記課題を解決するために本発明は、圧縮機，蒸発器，凝縮器，およびファンモータ，ファン等で構成される除湿装置と、起風電極，集塵電極，脱臭フィルター等で構成される空気清浄装置が一体となった除湿機を構成し、除湿装置の風回路と空気清浄装置の風回路を別々に設け、各々の風回路を仕切る壁に、各々の風回路を連通する連通孔を設けたものである。また、空気清浄装置の風回路中で連通孔の上部近傍に縦リブと横リブを設けたものである。
【０００７】
上記の発明によって、吸い込み風量の低下がなく除湿機能，空気清浄機能を満足させ、かつ運転時の送風音の低減と、空清装置として空気を吸い込む量を増加させ部屋の集塵能力の速効性が高まる。
【０００８】
【発明の実施の形態】
請求項１に記載の発明は、圧縮機，蒸発器，凝縮器，およびファンモータ，ファン等で構成される除湿装置と、起風電極，集塵電極，脱臭フィルター等で構成される空清装置が一体となった除湿機を構成し、除湿装置の風回路と空気清浄装置の風回路を別々に設け、各々の風回路を仕切る壁に、各々の風回路を連通する連通孔を設けたものである。そしてこの構成によれば、除湿機能，空気清浄機能をそこなわず運転ができ、かつ除湿装置の風回路を利用し空気清浄装置の吸い込み風量を増加することができる。
【０００９】
請求項２に記載の発明は、空気清浄装置の風回路中で連通孔の上部近傍に縦リブと横リブを設けたものである。そしてこの構成によれば、除湿装置から吹き出された風及び、本体周囲の空気が空気清浄装置の吹き出しグリルから風回路内に逆流するのを防ぎ、連通孔に風を流れ込まなくすることができる。
【００１０】
請求項３に記載の発明は、圧縮機，蒸発器，凝縮器，およびファンモータ，ファン等で構成される除湿装置と、起風電極，集塵電極，脱臭フィルター等で構成される空気清浄装置が一体となった除湿機を構成し、除湿装置の風回路と空清装置の風回路を別々に設け、各々の風回路を仕切る壁に、除湿装置のファンの後流側に位置し、除湿装置の風回路と空気清浄装置の風回路を一部連通させる連通孔を設けたものである。そしてこの構成によれば、除湿装置の吹き出す風速を利用し空気清浄装置の吸い込み風量を増加することができる。
【００１１】
請求項４に記載の発明は、除湿装置の風回路中に、除湿装置の風回路と空気清浄装置の風回路を一部連通させる連通孔とつながり上方吹き出し形式のダクトを設けたものである。
【００１２】
請求項５に記載の発明は、本体の運転モードにあわせて連通孔を開閉するダンパを設けたものである。
【００１３】
請求項６に記載の発明は、起風電極，集塵電極，脱臭フィルターの位置を、除湿装置のファン中心より下部に設けたものである。そしてこの構成によれば、起風電極，集塵電極，脱臭フィルターの上部にファンがあるため、起風電極，集塵電極，脱臭フィルターを通った風はファンにより誘引され、かつ空気清浄装置の吸い込み風量を増加することができる。
【００１４】
【実施例】
以下本発明の実施例について図面を参照して説明する。
【００１５】
（実施例１）
図１は本実施例の概略側面図で、除湿機本体１３は正面側に除湿装置３０と、背面側に空気清浄装置３１を具備し、除湿装置３０と空気清浄装置３１が一体となっている。正面側に設けられた除湿装置３０の内部には冷凍サイクルを構成する圧縮機１７，蒸発器１８，凝縮器１９，ファンモータ２０及びファン２１を具備している。そして蒸発器１８より生成された除湿水は水受皿２２に設けられたドレン口２３より滴下して、排水タンク２４にたまるようになっている。また、除湿装置３０の吸い込みグリル１４，吹き出しグリル１５を設けている。背面側に設けられた空気清浄装置３１の内部には起風電極２５，集塵電極２６，脱臭フィルター２７を具備し、また、空気清浄装置３１の吸い込みグリル２９，吹き出しグリル１６，フィルター２８が設けられている。そして、除湿装置３０の風回路と空気清浄装置３１の風回路を仕切る壁３２が設けられ、さらに仕切り壁３２には連通孔３３が設けられている。
【００１６】
図２は同一実施例の背面図である。除湿装置３０の風回路と空気清浄装置３１の風回路を仕切る壁３２に、除湿装置３０のケーシング３４両脇と空気清浄装置３１の風回路とを連通する連通孔３３が設けられている。
【００１７】
この実施例の場合、除湿装置３０の吸い込みグリル１４より吸い込まれた空気は、蒸発器１８，凝縮器１９を通り、吹き出しグリル１５よりほぼ真上に吹き出され、空気清浄装置３１の吸い込みグリル２９より吸い込まれた空気は、フィルター２８，起風電極２５，集塵電極２６，脱臭フィルター２７を通り、吹き出しグリル１６より吹き出される経路と、脱臭フィルター２７を通った後に連通孔３３を通過しかつケーシング３４の両脇を通り、上記吸い込みグリル１４より吸い込まれた空気と同経路を経て吹出しグリル１５より吹き出される２つの経路がある。
【００１８】
また、後記の経路において脱臭フィルター２７を通った風は連通孔３３を通過し除湿装置３０の内部へ吸い込まれるため、除湿装置３０の風回路を利用し空気清浄装置３１の吸い込み風量を増加することができる。
【００１９】
図３は他の実施例の背面図であり、除湿装置３０の風回路と空気清浄装置３１の風回路を仕切る壁３２に、除湿装置３０のケーシング３４両脇と空気清浄装置３１の風回路とを連通する連通孔３３が設けられており、また、空気清浄装置３１の風回路中で連通孔３３の上部近傍に縦リブ３５と横リブ３６が設けられている。
【００２０】
この実施例の場合、除湿装置３０から吹き出された風及び、本体周囲の空気が空気清浄装置３１の吹き出しグリル１６から風回路内に逆流するのを防ぎ、連通孔３３に風を流れ込まなくすることができる。
【００２１】
（実施例２）
図４は他の実施例の概略側面図で、除湿機本体１３は正面側に除湿装置３０と、背面側に空気清浄装置３１を具備し、除湿装置３０と空気清浄装置３１が一体となっている。正面側に設けられた除湿装置３０の内部には冷凍サイクルを構成する圧縮機１７，蒸発器１８，凝縮器１９，ファンモータ２０及びファン２１を具備している。そして蒸発器１８より生成された除湿水は水受皿２２に設けられたドレン口２３より滴下して、排水タンク２４にたまるようになっている。また、除湿装置３０の吸い込みグリル１４，吹き出しグリル１５を設けている。背面側に設けられた空気清浄装置３１の内部には起風電極２５，集塵電極２６，脱臭フィルター２７を具備し、また、空気清浄装置３１の吸い込みグリル２９，吹き出しグリル１６，フィルター２８が設けられている。そして、除湿装置３０の風回路と空気清浄装置３１の風回路を仕切る壁３２が設けられ、さらに仕切り壁３２には連通孔３７が設けられている。
【００２２】
図５は同一実施例の背面図である。除湿装置３０の風回路と空気清浄装置３１の風回路を別々に設け、各々の風回路を仕切る壁３２に、除湿装置３０のファン２１中心より上部に位置し除湿装置３０の風回路と空気清浄装置３１の風回路を一部連通させる連通孔３７が設けられている。
【００２３】
図６は他の実施例の概略側面図である。除湿装置３０の風回路と空気清浄装置３１の風回路を仕切る壁３２に、除湿装置３０のファン２１中心より上部に位置し各々の風回路を連通させる連通孔３７が設けられており、除湿装置３０の風回路中に連通孔３７とつながり上方吹き出し形式のダクト３８が設けられている。
【００２４】
この実施例の場合、空気清浄装置３０の吸い込みグリル２９より吸い込まれた空気は、起風電極２５，集塵電極２６，脱臭フィルター２７を通り吹き出しグリル１６より吹き出されるが、前記各々の風回路を仕切る壁３２に連通孔３７を設けたことで除湿装置３０の風回路と空気清浄装置３１の風回路が一部連通し、除湿装置３０の吹き出す風速を利用する形で連通孔３７より誘引されるため空気清浄装置３１の吸い込み風量を増加することができる。また、除湿装置３０の風回路中に上方吹き出し形式のダクト３８を設けたことで誘引される絶対量が増え空気清浄装置３１の吸い込み風量をさらに増加することができる。
【００２５】
（実施例３）
図７は他の実施例の概略側面図である。除湿装置３０の風回路と空気清浄装置３１の風回路を仕切る壁３２に、除湿装置３０のファン２１中心より上部に位置し各々の風回路を一部連通させる連通孔３７が設けられており、本体の運転モードにあわせて連通孔３７を開閉するダンパ３９が設けられている。
【００２６】
この実施例の場合、本体の運転モードで空気清浄装置３０のみを作動させる場合、連通孔３７を開閉するダンパ３９は閉じた状態となっているが、空気清浄装置３０とファン２１を同時に作動させる場合、前記ダンパ３９は開いた状態となり除湿装置３０の風回路と空気清浄装置３１の風回路が一部連通し、吸い込みグリル２９より吸い込まれた空気は、除湿装置３０の吹き出す風速を利用する形で連通孔３７より誘引されるため空気清浄装置３１の吸い込み風量を増加することができる。
【００２７】
（実施例４）
図８は他の実施例の概略側面図である。起風電極２５，集塵電極２６，脱臭フィルター２７の位置を、除湿装置３０のファン２１中心より下部に設けている。
【００２８】
この実施例の場合、吸い込みグリル２９より吸い込まれた空気は起風電極２５，集塵電極２６，脱臭フィルター２７を通り下方から上方へと流れるため、脱臭フィルター２７の上部にファン２１が位置することで、ファン２１により誘引され、かつ空気清浄装置３１の吸い込み風量を増加することができる。
【００２９】
【発明の効果】
上記実施例から明らかなように、請求項１に記載の発明は、圧縮機，蒸発器，凝縮器，およびファンモータ，ファン等で構成される除湿装置と、起風電極，集塵電極，脱臭フィルター等で構成される空気清浄装置が一体となった除湿機を構成し、除湿装置の風回路と空気清浄装置の風回路を別々に設け、各々の風回路を仕切る壁に、各々の風回路を連通する連通孔を設けたことにより、除湿装置の吸い込み風量の低下がなく除湿機能，空気清浄機能をそこなわず運転でき、かつ除湿装置の風回路を利用し空気清浄装置の吸い込み風量を増加させ、部屋の集塵能力の速効性を高めるという効果を奏する。
【００３０】
請求項２に記載の発明は、空気清浄装置の風回路中で連通孔の上部近傍に縦リブと横リブを設けたことにより、除湿装置から吹き出された風及び、本体周囲の空気が空気清浄装置の吹き出しグリルから風回路内に逆流するのを防ぎ、連通孔に風を流れ込まなくすることができ、また、連通孔より除湿装置内部に吸い込まれる風は空気清浄装置の吸い込みグリルより吸い込まれた空気のみとなるため、空気清浄装置の吸い込み風量がさらに増加し部屋の集塵能力の速効性を高めるという効果を奏する。
【００３１】
請求項３，４に記載の発明は、圧縮機，蒸発器，凝縮器，およびファンモータ，ファン等で構成される除湿装置と、起風電極，集塵電極，脱臭フィルター等で構成される空気清浄装置が一体となった除湿機を構成し、除湿装置の風回路と空気清浄装置の風回路を別々に設け、各々の風回路を仕切る壁に、除湿装置のファンの後流側に位置し、除湿装置の風回路きと空気清浄装置の風回路を一部連通させる連通孔を設け、また、除湿装置の風回路中に、除湿装置の風回路と空気清浄装置の風回路を一部連通させる連通孔とつながり上方吹き出し形式のダクトを設けたことにより、空気清浄装置の吸い込みグリルより吸い込まれた空気は除湿装置の吹き出す風速を利用する形で連通孔より誘引されるため空気清浄装置の吸い込み量を増加することができ、風回路中に上方吹き出し形式のダクトを設けたことで誘引される絶対量がさらに増加し部屋の集塵能力の速効性を高めるという効果を奏する。
【００３２】
請求項６に記載の発明は、起風電極，集塵電極，脱臭フィルターの位置を、除湿装置のファン中心より下部に設けたことにより、空気清浄装置の吸い込みグリルより吸い込まれた空気は起風電極，集塵電極，脱臭フィルターを通り下方から上方へと流れるため、脱臭フィルターの上部にファンが位置することで、ファンにより誘引され、かつ空気清浄装置の吸い込み風量が増加し部屋の集塵能力の速効性を高めるという効果と、除湿機能，空気清浄機能を満足させ、かつ運転時の送風音を低減するという効果を奏する。
【図面の簡単な説明】
【図１】本発明の一実施例を示す除湿機の概略側面図
【図２】同一実施例の除湿機の要部背面図
【図３】本発明の他の実施例を示す除湿機の要部背面図
【図４】本発明の他の実施例を示す除湿機の概略側面図
【図５】同一実施例の除湿機の要部背面図
【図６】本発明の他の実施例を示す除湿機の概略側面図
【図７】本発明の他の実施例を示す除湿機の概略側面図
【図８】本発明の他の実施例を示す除湿機の概略側面図
【図９】同従来例を示す除湿機の概略側面図
【符号の説明】
２１  ファン
２５  起風電極
２６  集塵電極
２７  脱臭フィルター
３０  除湿装置
３１  空気清浄装置
３２  仕切り壁
３３  連通孔
３４  ケーシング
３５  縦リブ
３６  横リブ
３７  連通孔
３８  ダクト
３９  ダンパ
【図１】
0003674288.tif 000002
【図２】
0003674288.tif 000003
【図３】
0003674288.tif 000004
【図４】
0003674288.tif 000005
【図５】
0003674288.tif 000006
【図６】
0003674288.tif 000007
【図７】
0003674288.tif 000008
【図８】
0003674288.tif 000009
【図９】
0003674288.tif 000010